(57)【要約】 【課題】加湿器において芳香剤を零した時のトラブルを減少させる。【解決手段】水を貯えるタンク２０と、タンク２０から導入された水を加熱して気化させる加湿部６３と、加湿部６３で気化した蒸気を外部に導くガイド部３１３と、芳香剤を溜める芳香受部１３とを有する加湿器において、ガイド部３１３の吹出口１２と芳香受部１３とは、水平方向において離間しており、ガイド部３１３は、霧を芳香受部１３に近接して迂回させる迂回部３１５を有している。【選択図】  図１
2015028413.tif 000002
【特許請求の範囲】
【請求項１】
水を貯えるタンクと、
前記タンクから導入された水を加熱して霧化させる加湿部と、
前記霧化した霧を外部に導くガイド部と、
前記ガイド部の上方に設けられ芳香剤を溜める芳香受部とを有する加湿器において、
前記ガイド部の吹出口と前記芳香受部とは、水平方向において離間しており、
前記ガイド部は、前記霧を前記芳香受部に近接して迂回させる迂回部を有していることを特徴とする加湿器。
【請求項２】
水を貯えるタンクと、
前記タンクから導入された水を加熱して霧化させる加湿部と、
前記霧化した霧を外部に導くガイド部と、
芳香剤を溜める芳香受部とを有する加湿器において、
前記霧を水平方向に迂回させる迂回部により前記芳香受部を加熱することを特徴とする加湿器。
【請求項３】
前記迂回部は前記ガイド部から分岐し、先端側が閉じている、又は、先端側が再び前記ガイド部に合流することを特徴とする請求項１又は請求項２のいずれかに記載の加湿器。
【請求項４】
水を貯えるタンクと、
前記タンクから導入された水を加熱して霧化させる加湿部と、
前記霧化した霧を垂直方向に導くガイド部と、
前記タンク、前記加湿部および前記ガイド部を覆う外カバーと、
前記ガイド部を介して前記霧を外部へ放出する吹出口と、
前記ガイド部から水平方向に離間した前記外カバー上の位置に芳香剤を溜める芳香受部とを備え、
前記ガイド部の一部を前記外カバーの内面に沿って延在させて前記芳香受部を加熱することを特徴とする加湿器。
【発明の詳細な説明】
【技術分野】
【０００１】
本発明は、加湿器に関するものであり、特に霧化通路の熱を利用して芳香剤を拡散させる加湿器に関する。
【背景技術】
【０００２】
従来の気化式の加湿器においては、本体内に設けた蒸気発生手段で蒸気を発生させ、その蒸気が蒸気案内筒を介して本体上面に設けた蒸気放出口から外部へ放出される。そして、蒸気案内筒から蒸気放出口に至る蒸気導出通路内に芳香剤容器を設け、この芳香材容器内の芳香剤に蒸気熱を伝えるように構成したものが知られている（例えば、特許文献１参照）。
【先行技術文献】
【特許文献】
【０００３】
【特許文献１】特開平１１-３５１６２１号公報
【発明の概要】
【発明が解決しようとする課題】
【０００４】
しかしながら、従来の加湿器では、芳香材容器に芳香剤を注ぎ込む時に、使用者が芳香材を誤って本体内に入れてしまったり、零れてしまったりすることがある。すると、零れた芳香材が加熱されて泡立ち、加湿器の本体から吹き零れたり、零れた芳香材がヒータ加熱により泡立って漏電や加熱事故等を起こすことがあった。
【０００５】
本発明は、このような従来の課題に鑑みてなされたものであり、芳香剤が加湿器の本体内に入り込むトラブルを減少させることを目的とするものである。
【課題を解決するための手段】
【０００６】
本発明は、上記の課題を解決するための第１の手段として、水を貯えるタンクと、このタンクから導入された水を加熱して霧化させる加湿部と、この霧化した霧を外部に導くガイド部と、このガイド部の上方に設けられ芳香剤を溜める芳香受部とを有する加湿器において、ガイド部の吹出口と芳香受部とは、水平方向において離間しており、ガイド部は、霧を芳香受部に近接して迂回させる迂回部を有していることを特徴とする加湿器を提供するものである。
【０００７】
また、本発明は、上記の課題を解決するための第２の手段として、水を貯えるタンクと、このタンクから導入された水を加熱して霧化させる加湿部と、この霧化した霧を外部に導くガイド部と、芳香剤を溜める芳香受部とを有する加湿器において、霧を水平方向に迂回させる迂回部により芳香受部を加熱することを特徴とする加湿器を提供するものである。
【０００８】
さらに、本発明は、上記の課題を解決するための第３の手段として、上記第１又は第２のいずれかの解決手段において、迂回部はガイド部から分岐し、先端側が閉じている、又は、先端側が再びガイド部に合流することを特徴とする加湿器を提供するものである。
【０００９】
加えて、本発明は、上記の課題を解決するための第４の手段として、水を貯えるタンクと、このタンクから導入された水を加熱して霧化させる加湿部と、この霧化した霧を垂直方向に導くガイド部と、タンク、加湿部およびガイド部を覆う外カバーと、前記ガイド部を介して前記霧を外部へ放出する吹出口と、前記ガイド部から水平方向に離間した前記外カバー上の位置に芳香剤を溜める芳香受部とを備え、前記ガイド部の一部を前記外カバーの内面に沿って延在させて前記芳香受部を加熱することを特徴とする加湿器を提供するものである。
【発明の効果】
【００１０】
本発明によれば、上記のように、ガイド部の吹出口と芳香受部とが離れて設置されているため、芳香剤を誤って吹出口に注入するおそれがなく、また、使用者が芳香受部に注ぎ込む芳香剤を誤って零しても、吹出口が芳香受部から離間しているため、芳香剤が吹出口から加湿器の内部へ入り込む危険性が少なり、信頼性の向上を図ることができる。
【図面の簡単な説明】
【００１１】
【図１】本発明の一実施の形態に係る加湿器の要部断面図である。
【図２】同加湿器を示す外観斜視図である。
【図３】同加湿器の外カバーを外した状態を示す分解斜視図である。
【図４】同加湿器用のタンクを上方から見た斜視図である。
【図５】同加湿器用のタンクを下方から見た斜視図である。
【図６】同加湿器のベース部を示す斜視図である。
【図７】同加湿器のベース部に下ガイド部を装着した状態を示す斜視図である。
【図８】同加湿器のガイド部とタンクカバーとの関係を示す分解図である。
【図９】同加湿器のタンクとカバーの関係を示す分解図である。
【図１０】本発明のその他の実施形態に係る加湿器の要部構成を模式的に表した図である。
【発明を実施するための形態】
【００１２】
以下、本発明の加湿器に係る一実施の形態について、図面を参照しながら説明する。図１は本発明の一実施の形態に係る加湿器の要部断面図であり、図２は同加湿器の外観斜視図であり、図３は同加湿器の外カバーを外した状態を示す分解斜視図である。
【００１３】
図１に示すように、本発明の加湿器は、内部の蒸気を噴出す吹出口１２と、芳香剤を溜める芳香受部１３と、加湿用の水を溜めたタンク２０と、タンク２０の底面に在る開口に設けられた弁２５と、弁２５を上方へ押し上げるための突起６２１と、タンク２０から供給される水を一時的に溜める貯水部６２と、ＰＣＴヒータ等のヒータ７０と、ヒータ７０を底部に有した加湿部６３と、貯水部６２の水を加湿部６３へ導く連通水路６１と、加湿部６３で発生した蒸気を上方へ導く下ガイド部３２と、下ガイド部３２からの蒸気を外部へと導く上ガイド部３１とを有している。ベース部６０には、加湿部６３、貯水部６２、連通水路６１、下ガイド部３２等が構成され、貯水部６２の上方にタンク２０を着脱自在に搭載している。外カバー１０は、タンク２０、下ガイド部３２、上ガイド部３１、迂回部３１５及びベース部６０の外周を覆っている。
【００１４】
図２に示すように、芳香受部１３は、外カバー１０の天面の一部を擂鉢状に窪ませて構成され、その中には芳香剤（アロマ）が溜められ、芳香剤を気化させて芳香効果を発揮する。吹出口１２は、外カバー１０の天面を貫通する複数の開口として形成され、本体１内部（加湿部６３）で発生した蒸気（又は霧）を外部へ放出する機能を有しており、更に、複数の開口を花びら形状に似せて装飾性を持たせている。なお、吹出口１２は、開口の形状は円形、楕円形、矩形など様々な形にすることができる。また、芳香受部１３は、吹出口１２から水平方向（加湿器の横方向乃至は幅方向）において十分に離間しており、使用者が芳香受部１３内に芳香剤を滴下する時、滴下する位置を誤って吹出口１２から加湿器の本体１内に入り込まないようにしている。
【００１５】
また、水位確認窓１１は、外カバー１０の側面に縦方向に開口され、その開口に透明（又は半透明）な樹脂が施されている。使用者は、この水位確認窓１１から本体１内部を覗くことができ、タンク２０内の貯水量を目視で確認することができる。本体１下方のベース部６０には、図２及び図３に示すように、操作部６５が設けられており、この操作部６５を操作することにより、ベース部６０内に収納された制御回路（不図示）を機能させて、加湿運転を行うことができる。
【００１６】
この実施形態では、本体１の直径を約２０ｃｍ、高さを約２５ｃｍとして設計しており、小型で持ち運びが容易な加湿器に仕上げている。芳香受部１３は、直径２〜３ｃｍで深さが１ｃｍに満たない擂鉢状の受皿であり、外カバー１０と一緒に樹脂成型で構成されている。この芳香受部１３は、使用者の好みに合わせて１〜３滴の芳香剤を滴下して使用される。
【００１７】
図３は、説明のために図２の完成状態から外カバー１０を外した状態を示した図である。図３に示すように、ベース部６０の上にタンク２０を搭載しており、外カバー１０を取り外すと、タンク２０を上方へ着脱可能になっている。上ガイド部３１および迂回部３１５の上端が外カバー１０の天面に接する部位には、楕円状（又は長円状）のシール部３１ａが施されており、上ガイド部３１および迂回部３１５と外カバー１０との間の機密性を保つようにしている。迂回部３１５の中央部に在る貫通孔３１１は、上ガイド部３１および迂回部３１５を外カバー１０側にネジ止めする際に、ネジを下方から上方へ貫通させるために用いられる。
【００１８】
次に、図４及び図５を用いて、加湿器用のタンク２０について説明する。図４は本実施の形態に係る加湿器用のタンク２０を上方から見た斜視図であり、図５は同タンク２０を下方から見た斜視図である。図４及び図５に示すように、タンク２０は概略円筒形状をしており、その円筒形状の一部に鉛直方向の切欠部２３を有し、鉛直方向に延びる上ガイド部３１が挿通するようにしてあり、且つ円筒形状の上部に窪んだ迂回収納部２１を有しており、その迂回収納部２１の上方には上ガイド部３１の一部である迂回部３１５（図８参照）が収まるように形成されている。そして、タンク２０は底面に貯蔵水の流出口を有しており、その流出口は円形状に開口しており、その円形状の開口端には下方に突出した円形フランジ（不図示）が設けてあり、更にその円形フランジの外周には螺旋ミゾ（不図示）が設けられている。そして、その円形フランジには、図５に示すように、弁２５を有するキャップ２２が装着され、キャップ２２を螺旋ミゾに沿って螺合・解除することで、キャップ２２を開閉することが可能となっている。
【００１９】
次に、図６を用いて、ベース部６０の構成について説明する。図６は本実施の形態に係る加湿器のベース部６０を示す斜視図である。同図に示すように、加湿部６３は、ほぼ円筒形状の凹部であり、その底部にはＰＣＴヒータ等のヒータ７０が設けられている。貯水部６２ａ，６２ｂは、加湿部６３との間に樹脂が介在するように構成された凹部になっており、図１に示すように、底面の所定箇所に突起６２１を有している。ここで言う所定箇所とは、タンク２０を装着した時にタンク２０の弁２５に対応した位置のことである（図１を参照）。タンク２０を上方から下方のベース部６０に装着する時、突起６２１が弁２５を押上げて、タンク２０の流出口を開放し、貯水部６２の水が少なくなると、少なくなった分だけ水を補給するように動作する。
【００２０】
また、加湿部６３と貯水部６２との間には、図１及び図６に示すように、連通水路６１が形成されており、加湿部６３の水が少なくなると、一時的に溜めた貯水部６２の水が加湿部６３に流れてヒータ７０を水没させるように自動的に補給することができる。貯水部６２ａ、６２ｂは、タンク２０からの冷たい水がその都度補給されるため、水温が常に低い状態に保たれている。そのため、貯水部６２ａ、６２ｂと加湿部６３との間に樹脂の隔壁６４ａ、６４ｂを介在させて、加湿部６３と貯水部６２ａ、６２ｂとの間を断熱し、加湿部６３内の水を冷め難くしている。その一方で、加湿部６３の貯水容量を少なくし、ヒータ７０で加熱して水を昇温する昇温速度を高めることにより、蒸気の発生を効率良くしている。加湿部６３の貯水容量は、加湿部６３の円筒形状の内径に依存するが、直径は５〜１０ｃｍの範囲が好適である。なお、貯水部６２ａ、６２ｂと加湿部６３との間に介在する樹脂の隔壁６４ａ、６４ｂは、内部を中空状態にすると、断熱性をより高めて、蒸気の発生効率をより向上させることができる。
【００２１】
次に、図１、図７〜図９を参照しながら、本実施の形態に係る加湿器の内部構造について詳細に説明する。図７は本実施の形態に係る加湿器のベース部６０に下ガイド部３２に装着した状態を示す分解図であり、図８は同加湿器のガイド部（３１，３２）とタンクカバー２６との関係を示す分解図であり、図９は同加湿器のタンク２０とカバー４０との関係を示す分解図である。
【００２２】
図１に示すように、本実施形態におけるガイド部（３１，３２）は、上ガイド部３１と下ガイド部３２を組み合わせた多段構成になっており、上ガイド部３１の一部である迂回部３１５及び上ガイド部３１は、外カバー１０にネジ止めされて一体構成になっており、使用者が外カバー１０を上方に持ち上げると、上ガイド部３１が下ガイド部３２から分離するようにして、迂回部３１５及び上ガイド部３１も一緒に持ち上げられ、図７に示すように、下ガイド部３２のみがベース部６０に装着された状態で露出する。この場合、図１に示すように、上ガイド部３１の下端は、下ガイド部３２の上端よりも大きな内径で開口しており、下ガイド部３２の上端は上ガイド部３１の下端よりも小さな外径をしており、上ガイド部３１の下端が下ガイド部３２の上端を内包するように端部をオーバーラップさせて装着される。
【００２３】
図７、図８に示すように、下ガイド部３２は、ベース部６０に装着され、上部が細く、下部が太い竹の子のような円筒形状をしており、図１から解るように、加湿部６３の水が下ガイド部３２内に下端から流通することが可能となっている。タンクカバー２６（図８を参照）は、ベース部６０の上部を覆うように装着され、貯水部６２ａ、６２ｂの貯留水が蒸発することを防いでいる。カバー４０は断熱材として用いられている。
【００２４】
迂回部３１５は、図１及び図８に示すように、上ガイド部３１との連結部から遠ざかるに連れ浅くなるように、その底部が傾斜して形成されており、上ガイド部３１との連結部から遠ざかるほど上向くように緩やかな角度（１０〜２０度）の傾斜面を成している。従って、迂回部３１５内で蒸気が結露すると、結露水がその傾斜面を流れ上ガイド部３１を伝って下方に在る加湿部６３へと戻され、迂回部３１５内には結露水が残らない。このため、使用者が外カバー１０を持ち上げてタンク2０へ水を補給するとき、迂回部３１５の結露水が床面に零れ落ちるというトラブルを防ぐことができる。
【００２５】
図８、図９に示すように、迂回部３１５は、上ガイド部３１との連結部から加湿器の径方向（幅方向）に延在しており、上端部は長円形状を成し、シール部３１ａが装着されている。シール部３１ａには、天然ゴム又は合成ゴムのような弾力性の有る部材を使用する。迂回部３１５の下方から貫通孔３１１にネジを通し、上方の外カバー１０にネジ止めすることにより、外カバー１０、迂回部３１５、上ガイド部３１を一体構成にすることができ、シール部３１ａはそれらの機密性を確保する。これにより、外カバー１０の天面に沿った密閉空間（迂回部３１５）を成す。
【００２６】
ベース部６０内の加湿部６３では、ヒータ７０を通電することにより、加湿部６３内の水を加熱し、蒸気を発生させる。ヒータ７０を包み込んだ下ガイド部３２は、図１から解るように、加湿部６３で発生した蒸気を上方へ導き、上ガイド部３１へと放出する。その蒸気は、更に、上ガイド部３１を通って直上の吹出口１２から放出され、加湿器の本体１を設置した室内を加湿する。上ガイド部３１内の蒸気の一部が迂回部３１５の空間へ流れ込んで、芳香受部１３の裏面（外カバー１０の内面）を加熱し、芳香受部１３内の芳香剤を気化させる。
【００２７】
また、水加湿器の径方向（幅方向）に延在され、且つ先端部が閉塞した迂回部３１５は、内部蒸気が長い時間滞留し、周辺の空気に冷やされるので、少し冷めた蒸気で芳香受部１３を加熱することになる。従って、吹出口１2から噴き出る蒸気は１００度近い温度になるが、芳香受部１３近傍の蒸気の温度は２０度程度下がった温度になり、芳香受部１３内の芳香剤をあまり高くない温度で加熱し、程好い香りとなるように、芳香剤を揮発させることができる。
【００２８】
以下、その他の実施形態について、図１０を参照しながら説明する。図１０はその他の実施形態に係る加湿器の要部構成を模式的に表した模式図であり、図１０（ａ）から（ｆ）までに、様々なパターンの迂回部３１５、吹出口１２及び芳香受部１３の位置関係を模式的に示している。ここで、矢印は霧の吹出部の流れを示している。
【００２９】
まず、図１０（ａ）に示す形態は、上述した実施形態とほぼ同様な構成であり、上ガイド部３１と下ガイド部３２を組み合わせたものがガイド部３１３であると考えればよい。ガイド部３１３は、下方の蒸気を上方に導き、先端部に在る吹出口１２から本体１の外部へと放出する。芳香受部１３は、吹出口１２から水平方向（加湿器の横方向乃至は幅方向）において離間した位置に配置され、迂回部３１５はガイド部３１３から分岐され芳香受部１３の下方まで水平方向に延在され、その先端部が閉塞状態になっている。この状態では、吹出口１２から放出される蒸気は、ガイド部３１３内を真直ぐに上昇するため、９０〜１００℃の温度になる。迂回部３１５は、ガイド部３１３内の蒸気の一部が導かれるが、導かれた蒸気が内部蒸気と入れ替わり難しく、内部蒸気の殆どが長時間滞留することになる。そのため、蒸気が滞留している間に迂回部３１５外の周辺温度で冷まされて、７０〜８０℃の温度に低下する。この温度は、アロマを気化させるのに好適であり、香りが強過ぎないように芳香剤を程好く気化させることができる。
【００３０】
但し、このように、迂回部３１５が水平方向に延在されていると、結露した水が迂回部３１５内の下部に溜まるため、外カバー１０と一体となった上ガイド部３１を取り外してタンク２０に水を補給する時、迂回部３１５内に溜まった水が床面に零れ落ちる可能性がある点に留意する。
【００３１】
次に、図１０（ｂ）に示す形態は、上記図１０（ａ）に示す形態とは、吹出口１２と芳香受部１３を水平方向に離間させている点では同様であるが、迂回部３１５をガイド部３１３から斜め上向きに分岐して、迂回部３１５の末端を閉塞した端部に芳香受部１３を載置した構成になっている点で異なる。この構成では、鉛直方向に設けられたガイド部３１３から迂回部３１５へ入り込んだ蒸気が上記図１０（ａ）と比べて入れ替わりにくいため、内部に滞留した蒸気は周囲温度でより冷却され易く、図１０（ａ）に比べて１０℃程度余分に低下する。内部の蒸気が結露すると、結露水が傾斜した迂回部３１５とガイド部３１３とを伝って加湿部６３へと常に逃がされるため、迂回部３１５内に結露水が滞留しない。そのため、外カバー１０と一体となった上ガイド部３１を、使用者が取り外してタンク２０に水を補給する時、結露水が零れ落ちるというトラブルを起こす心配がない。
【００３２】
また、図１０（ｃ）に示す形態は、上記図１０（ａ）に示す形態と比べると、吹出口１２と芳香受部１３を水平方向に離間させている点では同様であるが、迂回部３１５内の空間体積をより大きくしている点で異なる。即ち、迂回部３１５とガイド部３１３とが交わる面積が上記図１０（ａ）に示す形態と比べて広くなるため、ガイド部３１３を通って吹出口１２から排出される蒸気の一部が迂回部３１５内に入り込み易くなり、迂回部３１５内に滞留した蒸気と新しい蒸気とが入れ替わる。従って、芳香受部１３が吹出口１２から離間していても、芳香受部１３の温度が低下し難くなり、芳香受部１３内の芳香剤（アロマ）を高い温度で温めて芳香剤の揮発量を多くすることができる。但し、迂回部３１５の体積が大きくなるため、その分、迂回部３１５の下方に収納するタンク２０の容積を小さく設定する必要がある。
【００３３】
更に、図１０（ｄ）に示す形態は、鉛直方向に配置されたガイド部３１３に対して、迂回部３１５が屈曲（若しくは湾曲）した状態でガイド部３１３と２箇所で連結されて環状を成している。迂回部３１５の連結箇所は、ガイド部３１３における吹出口１２近傍と、それよりも下方の位置との２箇所になっている。芳香受部１３は、吹出口１２から離間した位置で、かつ迂回部３１５の上部に接するように配置されている。この形態は、ガイド部３１３の蒸気が迂回部３１５の下方の連結部から迂回部３１５内に入り込み、環状部分を経由してガイド部３１３の上部に戻し、近傍の吹出口１２から蒸気を排出する。従って、迂回部３１５内は常に新しい蒸気に入れ替わり、吹出口１２近傍の蒸気と、芳香受部１３近傍の蒸気との温度差を小さくすることができ、芳香受部１３内の芳香剤（アロマ）を高い温度で温めて芳香剤の揮発量を多くすることができるという利点がある。但し、迂回部３１５を構成する体積が大きくなるため、その分、迂回部３１５の下方に収納できるタンク２０の容積を小さく設定する必要がある。
【００３４】
加えて、図１０（ｅ）に示す形態は、ガイド部３１３の下方を鉛直方向にしているが、ガイド部３１３の上方を屈曲して傾斜させ、その屈曲点に迂回部３１５を連結させて、迂回部３１５とガイド部３１３を連結した形状がＹ字状になるように構成し、閉塞状態になっている迂回部３１５の先端部に芳香受部１３を配置している。これにより、吹出口１２と芳香受部１３との離間距離を大きくしているため、芳香受部１３内に芳香剤（アロマ）を注ぎ込む時、使用者が誤って芳香剤をガイド部３１３に流し込む危険性をより小さくすることができる。
【００３５】
最後に、図１０（ｆ）に示す形態は、鉛直方向に配置されたガイド部３１３の上端部を閉塞状態にして先端部を水平方向に屈曲させ、その先端部に吹出口１２を設け、更にガイド部３１３の上端部に接して芳香受部１３を設けて、芳香受部１３と吹出口１２の離間距離を大きくしている。したがって、芳香受部１３内に芳香剤（アロマ）を注ぎ込む時、芳香剤を誤ってガイド部３１３に流し込む危険性をより小さくすることができる。また、芳香受部１３が鉛直方向にされたガイド部３１３を通過する蒸気で常に温められるから、吹出口１２から噴き出す蒸気の温度とほぼ同じ温度で芳香受部１３を温めることになり、図１０（ａ）〜（ｆ）のその他の実施形態うちで最も高い温度で芳香剤を温めて効率良く気化させることができる。
【００３６】
なお、上述した実施の形態では、ヒータ７０を用いて水を気化させる気化方式の加湿器を前提に説明を行なったが、ヒータ部で加熱して温かい霧化流を発生するのであれば、超音波振動子を用いた超音波加湿方式の加湿器や、気化フィルタを用いた気化方式の加湿器であっても本発明を適用することは可能である。
【００３７】
例えば、上述した実施形態の連通水路にヒータ部を配置し、加湿部６３の底面のヒータ７０を超音波振動子に置き換えて、その超音波振動子を振動させて加湿動作させることができる。この場合は、連通水路は細い管状のものを採用すると、水の加熱を効率よくすることができる。超音波振動子のみでの加湿動作も可能であるが、ヒータ部を併用することで、加湿能力を２〜３割向上させると共に、雑菌やカビの繁殖を防ぐことができる。
【００３８】
本実施の形態によれば、吹出口１２と芳香受部１３の離間距離を十分に確保できるため、吹出口１２からアロマ成分が気化部に進入する危険性を大幅に軽減できる。また、加湿時に利用者がアロマ液を補充する場合であっても、使用者が芳香剤を誤ってガイド部３１３に流し込む危険性を小さくすることができる。また、加湿器の動作中であっても、吹出口１２から噴出する蒸気が素手に触れる危険性を小さくできるので、使用者の負担を軽減することができる。
【産業上の利用可能性】
【００３９】
本発明は、リビングや和室、更に、寝室や子供部屋等の各居室等の加湿に使用することができ、特に霧化通路の熱を利用して芳香剤を拡散させることもできる加湿に、広く適用することができる。
【符号の説明】
【００４０】
１      本体
１０    外カバー
１１    水位確認窓
１２    吹出口
１３    芳香受部
２０    タンク
２１    迂回収納部
２２    キャップ
２３    切欠部
２５    弁
２６    タンクカバー
３１    上ガイド部（ガイド部）
３１１  貫通孔
３１５  迂回部
３２    下ガイド部（ガイド部）
４０    カバー
６０    ベース部
６１    連通水路
６２，６２ａ，６２ｂ    貯水部
６２１  突起
６３    加湿部
６４ａ，６４ｂ  隔壁
６５    操作部
７０    ヒータ（加熱部）
【図１】
2015028413.tif 000003
【図２】
2015028413.tif 000004
【図３】
2015028413.tif 000005
【図４】
2015028413.tif 000006
【図５】
2015028413.tif 000007
【図６】
2015028413.tif 000008
【図７】
2015028413.tif 000009
【図８】
2015028413.tif 000010
【図９】
2015028413.tif 000011
【図１０】
2015028413.tif 000012